(57)【要約】【課題】ヘマトクリットや粘度などの異なる血液を用いた場合においても、分離途中でのフィルタの閉塞や溶血が生じ難く、短時間で血液を血球成分と血漿または血清とに分離することができる血液分離フィルタ装置および真空検体採取管を提供する。【解決手段】血液が流れる流路を有する流路形成部材７に、血液を血球と血漿または血清とに分離する第１，第２の血液分離フィルタ５，６が特定の重量比となるように設置されており、第１の血液分離フィルタ５がシートの積層体からなり、シート面が血液が流れる方向と略平行となるように積層されており、第２の血液分離フィルタ６がシート１枚、若しくはシートが２枚以上積層されて構成されており、第２の血液分離フィルタ６が、シートのシート面が血液が流れる方向と略直角方向となるように流路に設置されている、血液分離フィルタ装置４および真空検体採取管１。【選択図】図１
2007040985.tif 000002
【特許請求の範囲】
【請求項１】
血液の入口と出口とを有し、血液が流れる流路を有する流路形成部材と、
前記流路の少なくとも一部の領域に設置されており、血液を血球と血漿または血清とに分離する第１，第２の血液分離フィルタとを備え、
前記第１の血液分離フィルタが、繊維体が集積されて形成されたシートの積層体からなり、シート面が血液が流れる方向と略平行となるように積層されており、
前記第２の血液分離フィルタが、繊維体が集積されて形成されたシートからなり、前記第２の血液分離フィルタが、シートのシート面が血液が流れる方向と略直角方向となるように前記流路に設置されており、
前記第１，第２の血液分離フィルタの下記式（１）で表される重量比が、０．００１〜１の範囲にあることを特徴とする、血液分離フィルタ装置。
重量比＝第２の血液分離フィルタ重量／第１の血液分離フィルタ重量・・・（１）
【請求項２】
前記第１，第２の血液分離フィルタを構成するシートは、平均繊維径が０．５〜３．０μｍの範囲にある繊維体が集積されて形成されており、
前記第１の血液分離フィルタは、流路に設置された状態での平均密度が０．１〜０．５ｇ／ｃｍ3の範囲とされており、流路に設置する前後の下記式（２）で表される体積比が
、１．１〜５．０の範囲であるように圧縮された状態で前記流路に設置されている、請求項１に記載の血液分離フィルタ装置。
体積比＝設置前の第１の血液分離フィルタ体積／設置後の第１の血液分離フィルタ体積・・・（２）
【請求項３】
前記第１の血液分離フィルタを構成するシートが短冊状の形状を有し、
前記積層体は、短冊状の形状を有する前記シートが少なくとも２枚積層された構成を有する、請求項１または２に記載の血液分離フィルタ装置。
【請求項４】
前記第１の血液分離フィルタを構成するシートが長尺状の形状を有し、
長尺状の形状を有する前記シートをジグザグ状に折りたたむことにより前記積層体が構成されている、請求項１または２に記載の血液分離フィルタ装置。
【請求項５】
前記積層体は、内周の前記シートと外周の前記シートとが略円筒形状を有するように積層された構造を有する、請求項１または２に記載の血液分離フィルタ装置。
【請求項６】
複数の前記第１の血液分離フィルタが、血液が流れる方向に沿って配置されている、請求項１〜５のいずれか１項に記載の血液分離フィルタ装置。
【請求項７】
前記第２の血液分離フィルタが、前記第１の血液分離フィルタの下流に配置されている、請求項１〜６のいずれか１項に記載の血液分離フィルタ装置。
【請求項８】
前記第１，第２の血液分離フィルタの下流に配置されており、血球の混入を防止する血球停止フィルタをさらに備える、請求項１〜７のいずれか１項に記載の血液分離フィルタ装置。
【請求項９】
前記第１，第２の血液分離フィルタの下流に配置されており、血漿または血清に接触されることにより膨潤し、前記流路を閉塞する水膨潤性ポリマーをさらに備える、請求項１〜８のいずれか１項に記載の血液分離フィルタ装置。
【請求項１０】
前記水膨潤性ポリマーが、前記第１，第２の血液分離フィルタと前記血球停止フィルタとの間に配置されている、請求項９に記載の血液分離フィルタ装置。
【請求項１１】
前記水膨潤性ポリマーが、前記血球停止フィルタの下流に配置されている、請求項９に記載の血液分離フィルタ装置。
【請求項１２】
前記水膨潤性ポリマーが、シート状に成形されている、請求項９〜１１のいずれか１項に記載の血液分離フィルタ装置。
【請求項１３】
請求項１〜１２のいずれか１項に記載の血液分離フィルタ装置と、前記血液分離フィルタ装置を収容している管状容器とを備えることを特徴とする、真空検体採取管。
【発明の詳細な説明】
【技術分野】
【０００１】
本発明は、血液を血球と血漿または血清とに分離するための血液分離フィルタ装置および真空検体採取管に関し、より詳細には、ヘマトクリットや粘度の異なる血液を分離する際にも、分離性能が低下することがなく、短時間で血液を血球と血漿または血清とに分離することができる血液分離フィルタ装置および真空検体採取管に関する。
【背景技術】
【０００２】
従来、血液から血球を除去し、臨床検査に必要な血漿または血清を得るために、遠心分離法が用いられてきた。しかし、遠心分離法では、凝固過程や分離後に上澄みの血漿または血清を移しかえる過程などの作業が煩雑であった。また、検査結果を得るまでに時間を要し、さらに大型で高価な遠心分離機が必要であった。
【０００３】
この問題を解決するために、遠心分離機を用いることなく、血液から血球を除去し、臨床検査に必要な血漿または血清を得ることを可能とする様々な分離方法が提案されている。
【０００４】
例えば、下記の特許文献１には、直径０．０５〜１μｍの細孔を有し、外面開孔率４０％以下、内面開孔率６０％以上、膜厚が５０〜２００μｍである中空繊維を用いて全血から血漿を分離採取する方法が提案されている。この中空繊維を用いることにより、高い血漿分離速度で血漿を分離することができるとされている。
【０００５】
他方、下記の特許文献２には、平均繊維径０．２〜５μｍ、及び密度０．１〜０．５ｇ／ｃｍ3のガラス繊維層を用いて全血から、血漿または血清を分離する方法が開示されている。
【０００６】
一方、下記の特許文献３には、入口と出口とを有する容器内に高分子極細繊維集合体または多孔質ポリマーからなる濾過材を装着した血漿または血清分離フィルタが開示されている。濾過材である高分子極細繊維集合体または多孔質ポリマーには、親水化するために、親水性ポリマーが固定されている。濾過材中で血液を移動させ、かつ血漿または血清を分離採取する間に親水性ポリマーは膨潤する。親水性ポリマーが膨潤することによって、フィルタが閉塞され、濾過が自動停止する。ある所定量の血漿または血清を得た後、血球が到達するまでに濾過が自動的に停止するため、血漿または血清への血球の混入を自動的に防ぐことができるとされている。
【特許文献１】特公平２−２３８３１号公報
【特許文献２】特公平６−６４０５４号公報
【特許文献３】特開平１１−２８５６０７号公報
【発明の開示】
【発明が解決しようとする課題】
【０００７】
特許文献１に記載の方法では、血漿成分を速やかに分離することができ、少量の検体を短時間で分析することができる。しかしながら、高価な中空繊維を用いているため、コストが高くならざるを得なかった。
【０００８】
特許文献２に記載の方法では、血液を血球と血漿または血清とに分離することができるが、濾過速度が低く、濾過時間を短くできなかった。ガラス繊維層に圧力を加えることにより、濾過速度を高めることは可能であるが、溶血が生じたり、赤血球が漏れだしたりするおそれがあった。
【０００９】
さらに、特許文献１や特許文献２に記載の血漿または血清分離方法では、分離後に赤血球を捕捉した繊維層が長時間放置されると、溶血が起こり、赤血球内成分が血漿または血清に混入するおそれもあった。
【００１０】
一方、特許文献３に記載の分離フィルタでは、血液を血球と血漿または血清とに分離採取する間に親水性ポリマーが膨潤し、フィルタが閉塞され、濾過が自動停止する。よって、分離後に血球を捕捉した分離フィルタが長時間放置された場合でも、溶血により赤血球内成分が血漿または血清に混入するおそれはない。
【００１１】
ここでは、濾過材中で血液を移動させ、移動速度差により血液中の血球と血漿または血清とを分離している。他方、ヘマトクリットや粘度の異なる血液では、上記移動速度差が異なるので、場合によっては、分離途中でフィルタが閉塞することがあった。分離途中でフィルタが閉塞すると、回収できる検体量が大幅に減少することになる。
【００１２】
本発明の目的は、上述した従来技術の現状に鑑み、ヘマトクリットや粘度などの異なる血液を用いた場合においても、分離途中でのフィルタの閉塞や溶血が生じ難く、短時間で血液を血球と血漿または血清とに分離することができる血液分離フィルタ装置および該装置を備える真空検体採取管を提供することにある。
【課題を解決するための手段】
【００１３】
本発明に係る血液分離フィルタ装置は、血液の入口と出口とを有し、血液が流れる流路を有する流路形成部材と、流路の少なくとも一部の領域に設置されており、血液を血球と血漿または血清とに分離する第１，第２の血液分離フィルタとを備え、第１の血液分離フィルタが、繊維体が集積されて形成されたシートの積層体からなり、シート面が血液が流れる方向と略平行となるように積層されており、第２の血液分離フィルタが、繊維体が集積されて形成されたシートからなり、第２の血液分離フィルタが、シートのシート面が血液が流れる方向と略直角方向となるように流路に設置されており、第１，第２の血液分離フィルタの下記式（１）で表される重量比は、０．００１〜１の範囲にあることを特徴とする。
【００１４】
重量比＝第２の血液分離フィルタ重量／第１の血液分離フィルタ重量・・・（１）
本発明のある特定の局面では、第１，第２の血液分離フィルタを構成するシートは、平均繊維径が０．５〜３．０μｍの範囲にある繊維体が集積されて形成されており、第１の血液分離フィルタは、流路に設置された状態での平均密度が０．１〜０．５ｇ／ｃｍ3の範囲とされており、流路に設置する前後の下記式（２）で表される体積比が、１．１〜５．０の範囲であるように圧縮された状態で流路に設置されている。
【００１５】
体積比＝設置前の第１の血液分離フィルタ体積／設置後の第１の血液分離フィルタ体積・・・（２）
本発明の他の特定の局面では、第１の血液分離フィルタを構成するシートは短冊状の形状を有し、積層体は、短冊状の形状を有するシートが少なくとも２枚積層された構成を有する。
【００１６】
本発明のさらに他の特定の局面では、第１の血液分離フィルタを構成するシートは長尺状の形状を有し、長尺状の形状を有するシートをジグザグ状に折りたたむことにより積層体が構成されている。
【００１７】
本発明のさらに他の特定の局面では、積層体は、内周のシートと外周のシートとが略円筒形状を有するように積層された構造を有する。
【００１８】
本発明のさらに他の特定の局面では、複数の第１の血液分離フィルタが、血液が流れる方向に沿って配置されている。
【００１９】
本発明のさらに他の特定の局面では、第２の血液分離フィルタは、第１の血液分離フィルタの下流に配置されている。
【００２０】
本発明のさらに他の特定の局面では、血液分離フィルタ装置は、第１，第２の血液分離フィルタの下流に配置されており、血球の混入を防止する血球停止フィルタをさらに備えている。
【００２１】
本発明のさらに他の特定の局面では、血液分離フィルタ装置は、第１，第２の血液分離フィルタの下流に配置されており、血漿または血清に接触されることにより膨潤し、流路を閉塞する水膨潤性ポリマーをさらに備えている。
【００２２】
本発明のさらに他の特定の局面では、水膨潤性ポリマーは、第１，第２の血液分離フィルタと血球停止フィルタとの間に配置されている。
【００２３】
本発明のさらに他の特定の局面では、水膨潤性ポリマーは、血球停止フィルタの下流に配置されている。
【００２４】
本発明の別の特定の局面では、水膨潤性ポリマーは、シート状に成形されている。
【００２５】
本発明に係る真空検体採取管は、本発明に従って構成された血液分離フィルタ装置と、血液分離フィルタ装置を収容している管状容器とを備えている。
【発明の効果】
【００２６】
本発明に係る血液分離フィルタ装置では、血液を血球と血漿または血清とに分離する第１の血液分離フィルタが、流路形成部材の流路の少なくとも一部の領域に設置されている。第１の血液分離フィルタは、繊維体が集積されて形成されたシートの積層体からなり、シート面が血液が流れる方向と略平行となるように積層されているため、血液を分離する際の圧力損失が小さくされており、分離途中での第１の血液分離フィルタの閉塞が生じ難い。
【００２７】
本発明に係る血液分離フィルタ装置では、血液を血球と血漿または血清とに分離する第２の血液分離フィルタが、流路形成部材の流路の少なくとも一部の領域に設置されている。第２の血液分離フィルタは、繊維体が集積されて形成されたシートからなり、第２の血液分離フィルタが、シートのシート面が血液が流れる方向と略直角方向となるように流路に設置されているため、第１の血液分離フィルタのシート間の隙間を通過し得る大きさを有する赤血球よりも比較的小さい血球成分を捕捉することができる。
【００２８】
本発明では、第１，第２の血液分離フィルタの上述した式（１）で表される重量比が、０．００１〜１の範囲にあるため、上記第１，第２の血液分離フィルタにより、血球と血漿または血清との分離効率が高められており、血球成分を効果的に捕捉することができる。さらに、ヘマトクリットや粘度の異なる血液を分離する際にも、分離性能が低下することがなく、短時間で血液を血球と血漿または血清とに分離することができる。また、赤血球が凝集し易い血液を分離する際にも、圧力損失が小さいため、赤血球の目詰まりによる溶血の発生を抑制することができる。よって、得られた血漿若しくは血清を検査すると、信頼性に優れた検査結果を得ることができる。
【００２９】
第１，第２の血液分離フィルタを構成するシートが、平均繊維径が０．５〜３．０μｍの範囲にある繊維体が集積されて形成されており、第１の血液分離フィルタは、流路に設置された状態での平均密度が、０．１〜０．５ｇ／ｃｍ3の範囲とされており、流路に設置する前後の上述した式（２）で表される体積比が、１．１〜５．０の範囲であるように圧縮された状態で流路に設置されている場合には、第１，第２の血液分離フィルタによる血液の分離効果が高められており、第１の血液分離フィルタにおける血液を分離する際の圧力損失がより一層低減されている。よって、血球と血漿または血清をより一層効果的に分離することができ、分離途中でのフィルタの閉塞も生じ難い。
【００３０】
第１の血液分離フィルタを構成するシートが短冊状の形状を有し、積層体が短冊状の形状を有するシートが少なくとも２枚積層された構成を有する場合には、分離途中でのフィルタの閉塞や溶血がより一層生じ難く、短時間で分離が可能である。
【００３１】
第１の血液分離フィルタを構成するシートが長尺状の形状を有し、長尺状の形状を有するシートをジグザグ状に折りたたむことにより積層体が構成されている場合には、シートを切断して積層する必要がないために加工性が向上する。
【００３２】
積層体が内周のシートと外周のシートとが略円筒形状を有するように積層された構造を有する場合には、流路形成部材に充填する際に流路形成部材と血液分離フィルタとの間に隙間が形成され難く、充填性が向上し、分離途中でのフィルタの閉塞や溶血が一層生じ難く、短時間での分離が可能である。
【００３３】
複数の第１の血液分離フィルタが、血液が流れる方向に沿って配置されている場合には、第１の血液分離フィルタの流路の設置位置によって、それぞれの第１の血液分離フィルタの密度を異ならせることが容易となる。よって、複数の第１の血液分離フィルタの密度を適宜設定することで、血液の分離効率をより一層向上させることができる。さらに、複数の第１の血液分離フィルタを流路に設置する際に、別々に段階的に設置すると、設置後に第１の血液分離フィルタを構成しているシートにシワなどが発生し難くなる。よって、血液を血球と血漿または血清とにより一層効果的に分離することが可能となる。
【００３４】
第２の血液分離フィルタが、第１の血液分離フィルタの下流に配置されている場合には、第１の血液分離フィルタで大きな径を有する血液成分が捕捉された後に、第１の血液分離フィルタにより捕捉されずに通過した赤血球よりも比較的小さい例えば血小板などの血球成分が、第２の血液分離フィルタに捕捉されることになる。よって、より効果的に血清または血漿が分離され、得られた血漿または血清を検査すると、信頼性の高い検査結果が得られる。第１，第２の血液分離フィルタの下流に配置されており、血球の混入を防止する血球停止フィルタをさらに備えている場合には、血球の通過が防止されて、血球の血漿または血清への混入を防ぐことができる。
【００３５】
第１，第２の血液分離フィルタの下流に配置されており、血漿または血清に接触されることにより膨潤し、流路を閉塞する水膨潤性ポリマーをさらに備えている場合には、水膨潤性ポリマーの膨潤によって流路が閉塞されるため、溶血により赤血球から漏洩してきた成分の血漿または血清への混入を防止することができる。
【００３６】
水膨潤性ポリマーが、第１，第２の血液分離フィルタと血球停止フィルタとの間に配置されている場合には、血液分離フィルタと血球停止フィルタとの間の流路が閉塞されるため、圧力差を駆動力とした血液成分の移動が停止し、溶血により赤血球から漏洩してきた成分の血漿または血清への混入を防止することができる。
【００３７】
水膨潤性ポリマーが、血球停止フィルタの下流に配置されている場合には、血球停止フィルタの下流で流路が閉塞されるため、溶血による赤血球内成分の通過を防ぐことができる。
【００３８】
水膨潤性ポリマーがシート状に成形されている場合には、水膨潤性ポリマーを流路に設置することが容易である。
【００３９】
本発明に従って構成された血液分離フィルタ装置と、該血液分離フィルタ装置を収容している管状容器とを備える真空検体採取管を用いれば、ヘマトクリットや粘度の異なる血液や、赤血球が凝集し易い血液を分離する際にも、血球や赤血球内成分の混入のない血漿または血清を得ることができる。よって、得られた血漿または血清を検査すると、信頼性の高い検査結果を得ることができる。また本発明の真空検体採取管では、採血と血液分離とを同一の管状容器内で行うことができるため、操作が容易である。また血液の移し替えが不要であるため、血液の付着による感染の危険性が極めて小さくなる。
【発明を実施するための最良の形態】
【００４０】
以下、本発明の詳細を説明する。
【００４１】
（流路形成部材）
本発明で使用される流路形成部材は、血液の入口と出口とを有し、血液が流れる流路を有する。流路形成部材の形状・大きさとしては、特に限定されず、後述する第１，第２の血液分離フィルタや管状容器の大きさ・形状等によって適宜変更され得る。流路形成部材の材質も特に限定されない。
【００４２】
（第１，第２の血液分離フィルタ）
本発明で使用される第１の血液分離フィルタは、繊維体が集積されて形成されたシートの積層体からなる。他方、本発明で使用される第２の血液分離フィルタは、繊維体が集積されて形成されたシートからなる。第２の血液分離フィルタは、繊維体が集積されて形成されたシート１枚、若しくは２枚以上積層されて構成される。第１，第２の血液分離フィルタは同じ材料により構成されていてもよい。
【００４３】
第１，第２の血液分離フィルタは、血球よりも血漿または血清を速く移動させる性質を有していればよく、その材質は特に限定されない。このような性質を有する材質としては、例えば、ポリエステル、ポリエチレン、ポリプロピレンまたはポリアミド等の合成高分子からなる繊維が挙げられる。また、ガラス繊維や多孔性高分子繊維等も好適に用いられる。
【００４４】
第１，第２の血液分離フィルタは、血液中の成分を吸着する性質を有していてもよい。この場合には、第１，第２の血液分離フィルタに表面処理が施されていてもよい。表面処理剤としては、特に限定されないが、ポリエーテル系、シリコン系等の潤滑剤、ポリビニルアルコールまたはポリビニルピロリドン等の親水性高分子類、さらには天然の親水性高分子類、高分子界面活性剤等が挙げられる。また、第１，第２の血液分離フィルタの表面は、酸化剤による化学処理、プラズマ処理などにより親水化処理がされていてもよい。
【００４５】
本発明では、第１，第２の血液分離フィルタは、繊維体が集積されて形成されたシートを用いて構成されている。第１，第２の血液分離フィルタを構成するシートは、平均繊維径が０．５〜３．０μｍの範囲にある繊維体が集積されて形成されていることが好ましい。平均繊維径が０．５μｍより小さいと、血液を分離する際に溶血を起こし易くなる。平均繊維径が３．０μｍより大きいと、血球と血漿または血清とを分離するために、第１，第２の血液分離フィルタを高密度に形成する必要があり、また使用する繊維の量も多くなりコストが高くなる。血液の分離効果をより一層高めるためには、平均繊維径は、０．５〜２．５μｍの範囲にあることがより好ましい。
【００４６】
本発明では、第１の血液分離フィルタと第２の血液分離フィルタとの上述した式（１）で表される重量比が、０．００１〜１の範囲であるように、第１，第２の血液分離フィルタが用いられる。重量比が０．００１未満であると、第２の血液分離フィルタによる血液中の赤血球よりも比較的小さい例えば血小板などの成分の捕捉効果を十分に得ることができない。よって、得られた血漿若しくは血清の検査結果の信頼性が低下する。重量比が１を超えると、第１の血液分離フィルタによる血液を分離する際の圧力損失の低減効果を十分に得ることができない。さらに、第２の血液分離フィルタが多く用いられるために赤血球への負荷が大きくなり、赤血球が破壊されて赤血球内成分が漏洩し易くなる。
【００４７】
（血球停止フィルタ）
本発明では血液の流れる流路において第１，第２の血液分離フィルタの下流に、赤血球の通過を防止できる血球停止フィルタが配置されていることが好ましい。
【００４８】
血球停止フィルタは、特に限定されないが、例えば血漿または血清が通過し得るように多数の貫通孔が形成された膜からなる。もっとも膜以外のフィルタ部材であってもよい。
【００４９】
血球停止フィルタに形成された孔としては、血漿または血清の通過が可能であり、かつ赤血球の通過を防止できる範囲の孔径を有するものであれば、特に限定されるものではない。赤血球の通過を防止するためには、孔径は２μｍ以下であることが好ましい。孔径が小さいと、血液中のタンパク成分などにより目詰まりを起こす可能性があるため、孔径は０．０５μｍ以上であることが好ましい。赤血球の通過を効果的に防止するためには、孔径は０．１〜１．５μｍの範囲にあることがより好ましい。
【００５０】
血球停止フィルタを構成する材質は特に限定されず、例えば、ポリビニリデンジフルオライド、ポリテトラフルオロエチレン、酢酸セルロース、ニトロセルロース、ポリカーボネート、ポリエチレンテレフタレート、ポリエチレン、ポリプロピレン、ガラスファイバー、ボロシリケート、塩化ビニルまたは銀等を挙げることができる。
【００５１】
濾過の流速を高めるために、血球停止フィルタの表面は親水処理されていてもよい。親水処理の方法としては、プラズマ処理、親水性高分子によるコーティング等が挙げられるが、これらの方法に限定されず、他の方法を用いてもよい。
【００５２】
（水膨潤性ポリマー）
本発明では血液の流れる流路に、血漿または血清に接触されることにより膨潤する水膨潤性ポリマーが配置されていることが好ましい。水膨潤性ポリマーは、第１，第２の血液分離フィルタと血球停止フィルタとの間に配置されていることがより好ましく、血球停止フィルタのさらに下流に配置されていることがさらに好ましい。
【００５３】
本発明で使用され得る水膨潤性ポリマーの材質としては、特に限定されないが、分子骨格に親水性の官能基を有し、自重に対し同量以上の水を吸収できる性質の樹脂が好適である。水膨潤性ポリマーの具体例としては、ポリアクリル酸アルカリ金属塩系樹脂またはその共重合体およびそれらの架橋体、ポリアクリルアミド系樹脂またはその共重合体およびそれらの架橋体、ポリＮ−ビニルアセトアミド系樹脂またはその共重合体およびそれらの架橋体、シリコン系樹脂またはその共重合体およびそれらの架橋体、ポリビニルエーテル系樹脂およびその共重合体およびそれら架橋体、ポリアルキレンオキサイド系樹脂またはその共重合体およびそれらの架橋体、ポリビニルアルコール、ポリビニルピロリドンまたはその共重合体およびそれらの架橋体等が挙げられる。
【００５４】
水膨潤性ポリマーとしては、粉末状、粒状としたものを用いてもよく、フィルタやシート状に成形したものを用いてもよい。水膨潤性ポリマーがシート状に成形されている場合には、水膨潤性ポリマーを流路に設置することが容易となる。水膨潤性ポリマーとしては、ペースト状、スラリー状または溶液等にしたものを用いてもよく、これを添加し乾燥させるなどしてもよい。
【００５５】
水膨潤性ポリマーは、血漿または血清に接触されることでそれ自身が膨潤し、流路を閉塞させる。そのため、水膨潤性ポリマーの必要量は、閉塞させる流路体積、水膨潤性ポリマーの膨潤率及び膨潤速度によって異なる。よって、閉塞させる流路体積、水膨潤性ポリマーの膨潤率及び膨潤速度から、水膨潤性ポリマーの最適な量が計算される。
【００５６】
閉塞させる流路体積は、血液中の水分が吸収されかつ検体の回収量が低下しない範囲で設定される。流路体積が大きくなると、閉塞させるための水膨潤性ポリマーの量も多くなるため、検体の回収量が低下するおそれがある。
【００５７】
従って、閉塞させる流路体積は、０．００５〜１．０ｃｍ3の範囲にあることが好ましい。また、水膨潤性ポリマーの体積は閉塞させる流路体積に対し、５〜９５％の範囲にあることが好ましい。水膨潤性ポリマーの体積が閉塞させる流路体積に対し５％より小さいと、流路を閉塞するまでの時間が長くなるため、溶血により赤血球から漏洩してきた成分が、分離した血漿もしくは血清に混入するおそれがある。水膨潤性ポリマーの体積が閉塞させる流路体積に対し９５％より大きいと、血漿または血清がすべて回収される前に流路が閉塞されてしまうことがあり、血漿または血清の回収効率が低下するおそれがある。
【００５８】
（真空検体採取管に用いられる管状容器および栓体）
本発明に係る真空検体採取管に用いられる管状容器としては、特に限定されず、角筒状、円筒状などの形状を有する有底の容器が挙げられる。管状容器の底部の形状も、特に限定されるものではない。
【００５９】
管状容器の材質は特に限定されず、例えば、ポリエチレン、ポリプロピレン、ポリスチレン、ポリエチレンテレフタレート、ポリメチルメタクリレート、ポリアクリロニトリル、ポリアミド、アクリロニトリル−スチレン共重合体、エチレン−ビニルアルコール共重合体等の熱可塑性樹脂や、不飽和ポリエステル樹脂、エポキシ樹脂、エポキシ−アクリレート樹脂等の熱硬化性樹脂、また、酢酸セルロース、プロピオン酸セルロース、エチルセルロース、エチルキチン等の変性天然樹脂、さらにソーダ石灰ガラス、リンケイ酸ガラス、ホウケイ酸ガラス等のケイ酸塩ガラス、石英ガラスなどのガラス、及びこれらを主成分とするもの、あるいはこれらを組み合わせたもの等、従来公知のものが挙げられる。
【００６０】
検体採取管に用いられる栓体は、容器の開口を密封するように取り付けられる。栓体が空気非透過性であるときは、真空検体採取管として用いることができる。
【００６１】
栓体の素材としては、特に限定されず、天然ゴム、合成ゴムおよび熱可塑性エラストマーから選ばれる少なくとも一種の弾性体、あるいは、アルミラミネートまたはアルミ蒸着シート等従来公知のものが挙げられる。
【００６２】
以下、本発明の具体的な実施形態を説明することにより本発明を明らかにする。
【００６３】
図１〜３を用いて、本発明の一実施形態に係る真空検体採取管、および該真空検体採取管に備えられている血液分離フィルタ装置を説明する。
【００６４】
図１に、本発明の一実施形態に係る真空検体採取管を正面断面図で示す。
【００６５】
図１に示すように、真空検体採取管１は、上端に開口２ａを有し、下端に底部２ｂを有する管状容器２を有する。管状容器２は角筒状の形状を有し、底部２ｂは逆四角錐台形状に先細りした形状を有する。開口２ａには、内部を気密封止するように栓体３が取り付けられている。また栓体３は後述する筒状部材の開口を封止するように取り付けられている。なお、真空検体採取管１内は減圧されている。
【００６６】
血液が管状容器２の上方から血液分離フィルタ装置４に供給されると、血液が血液分離フィルタ装置４を通過し、その際に血球と血漿または血清とに分離される。分離された血漿または血清は、管状容器２の底部２ｂに収容される。
【００６７】
図２に、上述した真空検体採取管１に備えられている血液分離フィルタ装置４を拡大して正面断面図で示す。図３に、血液分離フィルタ装置４を構成している第１，第２の血液分離フィルタ５，６および流路形成部材７を分解斜視図で示す。
【００６８】
図２，図３に示すように、血液分離フィルタ装置４は、流路形成部材７と、第１，第２の血液分離フィルタ５，６とを備えている。
【００６９】
流路形成部材７は、角筒状の形状を有する筒状部材８と、平面視したときに外周が筒状部材８の内周と同じ四角形の形状を有する底部材９とを有する。筒状部材８は上端に開口８ａを有する。筒状部材８の下端８ｂより上方において、筒状部材８の内周面から内側に向って突出するように角環状の環状周縁部８ｃが設けられている。この環状周縁部８ｃにより、該環状周縁部８ｃに囲まれた開口部８ｄが形成されている。
【００７０】
底部材９は、主面部９ａと、主面部９ａの中央から下方に延ばされた管状の出口部９ｂとを有する。出口部９ｂは上下に延びる中空流路を有する。主面部９ａの上面には環状突部９ｄが設けられている。環状突部９ｄに囲まれた部分が凹部９ｃとされている。凹部９ｃは、出口部９ｂの中空流路に連ねられており、流路の一部が構成されている。
【００７１】
底部材９は、環状周縁部８ｃの下方に配置されている。より具体的には、筒状部材８は下端８ｂにおいて開口しているが、この開口部分から底部材９が挿入され、固定されている。すなわち、主面部９ａの外周縁が筒状部材８の内周面に密着され、固定されている。この状態において、主面部９ａの上面が、環状周縁部８ｃ及び開口部８ｄに対向されている。また、環状周縁部８ｃの下面、及び環状突部９ｄの上端面に後述する血球停止フィルタが隙間なく密着している。
【００７２】
第２の血液分離フィルタ６は、短冊状の形状を有するシート６ａが複数枚積層されて構成されている。なお、第２の血液分離フィルタは、繊維体が集積されて形成されたシート１枚により構成されていてもよい。第２の血液分離フィルタ６は、複数枚のシート６ａのシート面が血液が流れる方向と略直角方向となるように、環状周縁部８ｃ上に配置されている。第２の血液分離フィルタ６の外周面は、筒状部材８の内周面と密着している。なお、第２の血液分離フィルタ６は、長尺状の形状を有するシート長尺状の形状を有するシートが等間隔にジグザグ状に折りたたまれた状態で、シートのシート面が積層されて構成されていてもよい。
【００７３】
第１の血液分離フィルタ５は、複数枚の短冊状の形状を有するシートの積層体からなる。第１の血液分離フィルタ５を構成するシートは、繊維体が集積されて形成されている。第１の血液分離フィルタ５の下面は第２の血液分離フィルタ６の上面に当接されており、第１の血液分離フィルタ５の外周面が、筒状部材８の内周面と密着するように設置されている。すなわち、第１の血液分離フィルタ５は、第２の血液分離フィルタ５の上流に配置されている。第１の血液分離フィルタ５では、複数枚のシートのシート面が血液が流れる方向と略平行となるように積層されている。
【００７４】
第１の血液分離フィルタ装置５および第２の血液分離フィルタ６は、上述した式（１）で表される重量比が０．００１〜１の範囲にあるように選ばれている。
【００７５】
本実施形態では、血液分離フィルタ装置４は、第１，第２の血液分離フィルタ５，６の下流に血球停止フィルタ１０をさらに備えている。血球停止フィルタ１０は、環状周縁部８ｃと主面部９ａとの間の空間に配置されている。より具体的には、血球停止フィルタ１０は、環状周縁部８ｃの下面および環状突部９ｄの上端面に挟持されるように配置されている。
【００７６】
本実施形態では、血液分離フィルタ装置４は、第１，第２の血液分離フィルタ５，６の下流に水膨潤性ポリマー１１をさらに備えている。水膨潤性ポリマー１１は、血球停止フィルタ１０と主面部９ａとの間であって、主面部９ａの上面の凹部９ｃに配置されている。初期状態、すなわち膨潤前には血漿または血清が流れる流路を確保するように、水膨潤性ポリマー１１の中央に孔１１ａが形成されており、孔１１ａは出口部９ｂの中空流路に連ねられている。なお、水膨潤性ポリマー１１は、第１，第２の血液分離フィルタ５，６と血球停止フィルタ１０との間に配置されていてもよい。より具体的には、環状周縁部８ｃで囲まれた開口部８ｄに配置されていてもよい。
【００７７】
上述した第１の血液分離フィルタ５の構造を、図４，５を用いてさらに詳細に説明する。
【００７８】
図４に斜視図で示すように、第１の血液分離フィルタ５は、短冊状の形状を有する複数枚のシート１５を用いて構成される。この複数枚のシート１５が積層されて、図５に斜視図で示す直方体形状を有するシートの積層体からなる第１の血液分離フィルタ５が得られる。
【００７９】
第１の血液分離フィルタ５を設置する際には、第１の血液分離フィルタ５を圧縮しながら、上述した筒状部材８に開口８ａから充填する。このとき、第１の血液分離フィルタ５は、複数のシート１５のシート面が、血液が流れる方向と略平行となるように積層されかつ充填される。第１の血液分離フィルタ５は、流路形成部材７の流路の少なくとも一部の領域に設置される。よって、流路に設置された血液分離フィルタ装置４に血液が供給されると、血液は第１の血液分離フィルタ５を通過することになる。
【００８０】
本発明では、第１の血液分離フィルタ５は、流路に設置された状態での平均密度が、好ましくは０．１〜０．５ｇ／ｃｍ3の範囲になるように設置される。平均密度が、０．１ｇ／ｃｍ3よりも低いと、血液の分離を効率的に行えず、得られる血漿または血清の量が少なくなることがある。平均密度が、０．５ｇ／ｃｍ3よりも高いと、赤血球への負荷が大きくなり、溶血を起こし易くなる。血液をより一層効率的に分離するためには、平均密度は、０．１５〜０．４０ｇ／ｃｍ3の範囲にあることが好ましい。
【００８１】
本発明では、第１の血液分離フィルタ５は、流路に設置する前後の上述した式（２）で表される体積比が、好ましくは、１．１〜５．０の範囲であるように圧縮されて流路に設置される。体積比が１．１よりも小さいと、第１の血液分離フィルタ５の積層されている複数のシート１５間に隙間が形成されて、血液が該隙間を通過し易くなるため、血液の分離効率が低下することがある。また、体積比が５．０よりも大きいと、第１の血液分離フィルタ５の充填時に充填される大きさに圧縮することが困難となり、生産性が低下することがある。
【００８２】
上述した第１の血液分離フィルタ５の他の構造例を、図６，７に斜視図で示す。
【００８３】
図６に示すように、第１の血液分離フィルタ２１は、長尺状の形状を有するシート２２を用いて構成されていてもよい。長尺状の形状を有するシート２２を等間隔にジグザグ状に折りたたんで積層体を構成すると、図７に示すように、複数のシート２２のシート面２２ａが積層された第１の血液分離フィルタ２１が得られる。
【００８４】
第１の血液分離フィルタ２１を設置する際には、上述した第１の血液分離フィルタ５と同様の方法により、第１の血液分離フィルタ２１を圧縮しながら充填する。このとき、第１の血液分離フィルタ２１の複数のシート面２２ａが、血液が流れる方向と略平行となるように積層されかつ充填される。なお、血液分離フィルタ２１は、好ましくは、シグザグ状に折りたたまれたシート２２の折返し部分２２ｂが、血液が流れる方向と略平行となるように充填される。
【００８５】
図８に、本発明の他の実施形態に係る真空検体採取管を正面断面図で示す。
【００８６】
図８に示す真空検体採取管３１は、上述した真空検体採取管１とその形状が異なる。本実施形態では、特に第１の血液分離フィルタ３５が、内周のシートと外周のシートとが略円筒形状を有するように積層された構造を有する積層体からなることを特徴としている。この積層体からなる略円柱形状を有する第１の血液分離フィルタ３５が、流路形成部材３６内の流路に設置されている。よって、本実施形態では、上述した管状容器２及び流路形成部材７に変えて、第１の血液分離フィルタ３５の形状に対応した形状を有する管状容器３２及び流路形成部材３７を用いている。なお、真空検体採取管３１では、上述した血球停止フィルタ１０及び水膨潤性ポリマー１１が、真空検体採取管１と同様の位置に設置されている。
【００８７】
図８に示すように、真空検体採取管３１は、上端に開口３２ａを有し、下端に丸底の底部３２ｂを有する管状容器３２を有する。管状容器３２は円筒状の形状を有する。開口３２ａには、内部を気密封止するように栓体３３が取り付けられている。図９に、上述した真空検体採取管３１に備えられている血液分離フィルタ装置３４を構成している第１，第２の血液分離フィルタ３５，３６および流路形成部材３７を分解斜視図で示す。
【００８８】
図８，図９に示すように、血液分離フィルタ装置３４は、流路形成部材３７と第１，第２の血液分離フィルタ３５，３６とを備えている。
【００８９】
流路形成部材３７は、円筒部材３８と、平面視したときに外周が円筒部材３８の内周と同じ円形の形状を有する底部材３９とを有する。本実施形態の流路形成部材３７は、上述した角筒状の形状を有する筒状部材８及び平面視したときに外周が四角形の形状を有する底部材９とその外周部分の形状が異なっていることにおいてのみ相違しており、内部構造は同様に構成されている。
【００９０】
上記円筒部材８の環状周縁部８ｃと同様の位置において、円筒部材３８の内周面から内側に向かって突出するように環状周縁部３８ａが形成されている。
【００９１】
第２の血液分離フィルタ３６は、円盤状の形状を有するシート３６ａが複数枚積層されて構成されている。なお、第２の血液分離フィルタは、繊維体が集積されて形成されたシート１枚により形成されていてもよい。第２の血液分離フィルタ３６は、複数枚のシート３６ａのシート面が血液が流れる方向と略直角方向となるように、環状周縁部３８ａ上に配置されている。第２の血液分離フィルタ３６の外周面が、筒状部材３８の内周面と密着している。
【００９２】
第１の血液分離フィルタ３５は、長尺状の形状を有するシートが渦巻き状に巻かれて、内周のシート部分と外周のシート部分とが積層されて構成されている。第１の血液分離フィルタ３５の下面は第２の血液分離フィルタ３６の上面に当接されており、第１の血液分離フィルタ３５の外周面が、筒状部材３８の内周面と密着するように設置されている。第１の血液分離フィルタ３５では、内周のシート部分と外周のシート部分とが血液が流れる方向と略平行となるように積層されている。
【００９３】
上述した第１の血液分離フィルタ３５の構造を、図１０を用いてさらに詳細に説明する。
【００９４】
図１０に斜視図で示すように、第１の血液分離フィルタ３５は、長尺状の形状を有するシートを用いて構成される。長尺状の形状を有するシートを渦巻き状にまくことで、図１０に示すように、内周のシートと外周のシートとが、略円筒形状を有するように積層された構成を有する積層体からなる血液分離フィルタ３５が得られる。血液分離フィルタ３５の設置に際しては、血液分離フィルタ３５を圧縮しながら、上述した円筒部材３８に充填する。このとき、血液分離フィルタ３５は、内周のシート部分と外周のシート部分とが、血液が流れる方向と略平行となるように積層されかつ充填される。なお、血液分離フィルタは、複数のシートを略同心円形状に巻きつけることで、内周のシートと外周のシートとが略円筒形状を有するように積層された構造を有していてもよい。
【００９５】
上述した第１の血液分離フィルタ３５の他の構造例を、図１１に斜視図で示す。
【００９６】
図１１に斜視図で示すように、複数の第１の血液分離フィルタ４１Ａ〜４１Ｃからなる血液分離フィルタ４１が用いられてもよい。流路に充填する際には、複数の第１の血液分離フィルタ４１Ａ〜４１Ｃは、血液が流れる方向に沿って配置される。充填方法としては、複数の第１の血液分離フィルタ４１Ａ〜４１Ｃが別々に段階的に充填されてもよいし、積層された状態で一度にまとめて充填されてもよい。複数の第１の血液分離フィルタ４１Ａ〜４１Ｃが別々に段階的に充填されると、充填後に第１の血液分離フィルタ４１Ａ〜４１Ｃを構成しているシートにシワなどが発生し難くなる。なお、複数の第１の血液分離フィルタ４１Ａ〜４１Ｃは、流路に設置された後には、好ましくは重なり合うように接した状態であるが、一定間隔を隔てられた状態であってもよい。
【００９７】
流路形成部材３７に、複数の第１の血液分離フィルタ４１Ａ〜４１Ｃを設置する際には、複数の第１の血液分離フィルタ４１Ａ〜４１Ｃごとに密度を異ならせることができる。よって、密度を適宜設定することで、血液の分離効率を向上させることができる。
【００９８】
図１２に、本発明の別の実施形態に係る真空検体採取管５１を正面断面図で示す。図１３に、真空検体採取管５１に備えられている血液分離フィルタ装置５２を構成している第１の血液分離フィルタ４１Ａ〜４１Ｃ、第２の血液分離フィルタ３６および流路形成部材３７を分解斜視図で示す。
【００９９】
図１２，１３に示すように、真空検体採取管５１に備えられている血液分離フィルタ装置５２では、第２の血液分離フィルタ３６の上流に、複数の第１の血液分離フィルタ４１Ａ〜４１Ｃが配置されている。
【０１００】
第２の血液分離フィルタ３６の上流において、複数の第１の血液分離フィルタ４１Ａ〜４１Ｃは、血液が流れる方向に沿うように積層されて、重なり合うように接した状態で充填されていてもよい。
【０１０１】
図１４に、本発明のさらに別の実施形態に係る真空検体採取管６１を正面断面図で示す。図１５に、真空検体採取管６１に備えられている血液分離フィルタ装置６２を構成している第１の血液分離フィルタ４１Ａ〜４１Ｃ、第２の血液分離フィルタ６３〜６５、および流路形成部材３７を分解斜視図で示す。
【０１０２】
図１４，１５に示すように、複数の第１の血液分離フィルタ４１Ａ〜４１Ｃと、複数の第２の血液分離フィルタ６３〜６５とが、血液が流れる方向に沿うように交互に積層されて、重なり合うように接した状態で充填されていてもよい。
【０１０３】
真空検体採取管６１に備えられている血液分離フィルタ装置６２では、第１の血液分離フィルタ４１Ｃの下流に複数のシート６５ａからなる第２の血液分離フィルタ６５が配置されており、第１の血液分離フィルタ４１Ｂ，４１Ｃ間に複数のシート６４ａからなる第２の血液分離フィルタ６４が配置されており、第１の血液分離フィルタ４１Ａ，４１Ｂ間に複数のシート６３ａからなる第２の血液分離フィルタ６３が配置されている。なお、第１の血液分離フィルタ４１Ａのさらに上流に、第２の血液分離フィルタが配置されていてもよい。
【０１０４】
上述した第１の血液分離フィルタ５及び第１の血液分離フィルタ２１も血液分離フィルタ４１と同様に、複数の血液分離フィルタにより構成されていてもよい。
【０１０５】
本発明では、第１の血液分離フィルタは、シート面が血液が流れる方向と略平行に積層されて構成されていればよく、上述した形状に限定されるものではない。また、第１の血液分離フィルタの形状により、流路形成部材及び真空検体採取管に用いる管状容器の形状も適宜変更することができる。
【０１０６】
（真空検体採取管の使用方法）
図１に示されている真空検体採取管１を例にとり、その使用方法を以下説明する。
【０１０７】
使用に際しては、採血針の一端を血管に刺入した後、他端を栓体３に刺入し、栓体３を貫通させる。その結果、内部が減圧されている真空検体採取管１内に血液が流れ込む。流れ込んだ血液は、第１の血液分離フィルタ５の上端５ａに達する。
【０１０８】
第１の血液分離フィルタ５の上端５ａに達した血液が、第１の血液分離フィルタ５を通過する際、血球よりも血漿または血清が速く移動する。第１の血液分離フィルタ５を通過した血液は、第２の血液分離フィルタ６に達し、第２の血液分離フィルタ６においても血球よりも血漿または血清が速く移動する。第２の血液分離フィルタ６では、赤血球よりも比較的小さい例えば血小板などの血球成分が効果的に捕捉される。
【０１０９】
相対的に早く移動した血漿または血清は、血球停止フィルタ１０に先に達し、該血球停止フィルタ１０を通過する。そして、血漿または血清は、凹部９ｃを経て出口部９ｂの中空流路を通過し、管状容器２に収容される。血漿または血清よりも低速で移動した血球は、血球停止フィルタ１０に達しても、血球停止フィルタ１０を通過しない。従って、下方において収容された血漿または血清に血球は混入しない。
【０１１０】
また、水膨潤性ポリマー１１は、血漿または血清に接触されることにより、次第に膨潤し、収容されるべき血漿または血清が通過した後に流路を閉塞する。より具体的には、第１，第２の血液分離フィルタ５，６において相対的に速く移動した血漿または血清が、水膨潤性ポリマー１１が配置されている流路部分を通過した後、水膨潤性ポリマー１１が膨潤する。すなわち、水膨潤性ポリマー１１の孔１１ａが塞がるとともに、水膨潤性ポリマー１１が凹部９ｃを密閉するように膨張する。従って、水膨潤性ポリマー１１の膨張により流路が閉塞されることになる。よって、血漿または血清が管状容器２の底部２ｂに収容された後、長時間放置された場合でも、流路が閉塞されるため、溶血により生じた赤血球内成分は下方に滴下しない。また、流路が閉塞されると、水膨潤性ポリマー１１の下方において、圧力差を駆動力とした血液成分の移動も停止される。よって赤血球内成分は、血漿または血清に混入しない。
【０１１１】
本発明において、図１に示した実施形態のように真空検体採取管とした場合は、管内の圧力を調整することができるため、簡便に必要量血液を採取することができ、効果的に血液を血球と血漿または血清とに分離することができる。
【０１１２】
以下、本発明の具体的な実施例及び比較例を挙げることにより、本発明をより詳細に説明する。
【０１１３】
実施例１，２では、上述した角筒状の形状を有する管状容器２および流路形成部材７を用いた。流路形成部材７の筒状部材８の角環状の環状周縁部８ｃより上方の内部空間の大きさは、１０ｍｍ×１０ｍｍ×４４ｍｍであった。
【０１１４】
実施例３〜１０及び比較例１〜１２では、上述した円筒状の形状を有する管状容器３２および流路形成部材３７を用いた。流路形成部材３７の円筒部材３８の環状周縁部３８ａより上方の内部空間の大きさは、内径１１ｍｍ、高さ４８ｍｍであった。
【０１１５】
実施例１〜６および比較例１〜８では、流路形成部材７に血球停止フィルタを配置しなかった。他方、実施例７〜１３及び比較例９〜１２では、上述した血球停止フィルタ１０と同様の位置に、血球停止フィルタを配置した。血球停止フィルタとしては、孔径０．４μｍの商品名「アイソポアＨＴＴＰ」（ミリポア社製）を、直径８ｍｍの大きさに打ち抜いたものを用いた。
【０１１６】
実施例１〜８および比較例１〜１０では、流路形成部材７に水膨潤性ポリマーを配置しなかった。他方、実施例９〜１３及び比較例１１，１２では、上述した水膨潤性ポリマー１１と同様の位置に、水膨潤性ポリマーを配置した。水膨潤性ポリマーとしては、商品名「アクアコークＴＷＢ」（住友精化社製）を厚み０．２ｍｍに成形したシートを、直径６．０ｍｍの大きさに打ち抜き、その中心部に０．６ｍｍの大きさの孔を開けたものを用いた。血球停止フィルタと、底部材３９とで形成される空間の流路体積は、約０．０５３ｃｍ3であり、水膨潤性ポリマーの体積は、流路体積の約２３％であった。
【０１１７】
（実施例１）
集積している繊維の平均繊維径が１．９μｍ、目付が３９ｇ／ｍ2、大きさが縦１０．５ｍｍ×横１０．５ｍｍ×厚み０．３９ｍｍである短冊状の形状を有するシート１枚からなる第２の血液分離フィルタを用意した。
【０１１８】
集積している繊維の平均繊維径が１．９μｍ、目付が３９ｇ／ｍ2、大きさが縦１０．５ｍｍ×横２１ｍｍ×厚み０．３９ｍｍである短冊状の形状を有するシートを５８枚用意した。この５８枚の短冊状のシートを積層した第１の血液分離フィルタを用意した。
【０１１９】
第２の血液分離フィルタの重量は０．００４ｇ、第１の血液分離フィルタの重量は０．５０ｇであり、上述した式（１）で表される重量比は、０．００８（０．００４ｇ／０．５０ｇ）であった。
【０１２０】
次に、第２の血液分離フィルタを、シート面が血液が流れる方向と略直角方向となるように、角筒状の流路形成部材７に圧縮充填した。しかる後、第１の血液分離フィルタを、シート面が血液が流れる方向と略平行に積層された状態となるように、角筒状の流路形成部材７に圧縮充填した。第１の血液分離フィルタを充填した部分は、１０ｍｍ×１０ｍｍ×２１ｍｍの領域であった。
【０１２１】
第１の血液分離フィルタを流路に設置する前後の上述した式（２）で表される体積比は、２．４（５８枚×１０．５×２１×０．３９ｍｍ3／１０×１０×２１ｍｍ3）であった。第１の血液分離フィルタの設置後の平均密度は０．２４ｇ／ｃｍ3であった。
【０１２２】
（実施例２）
集積している繊維の平均繊維径が１．９μｍ、目付が３９ｇ／ｍ2、大きさが縦１０．５ｍｍ×横１０．５ｍｍ×厚み０．３９ｍｍである短冊状の形状を有するシートを５枚積層した第２の血液分離フィルタを用意した。
【０１２３】
集積している繊維の平均繊維径が１．９μｍ、目付が３９ｇ／ｍ2、大きさが長さ６００ｍｍ×幅２１ｍｍ×厚み０．３９ｍｍである長尺状の形状を有するシートを１枚用意した。この長尺状のシートを１０ｍｍごとにジグザグ状に折りたたんでシートが積層された第１の血液分離フィルタを用意した。
【０１２４】
第２の血液分離フィルタの重量は０．０２ｇ、第１の血液分離フィルタの重量は０．４９ｇであり、上述した式（１）で表される重量比は、０．０４（０．０２ｇ／０．４９ｇ）であった。
【０１２５】
次に、第２の血液分離フィルタを、シート面が血液が流れる方向と略直角方向となるように、角筒状の流路形成部材７に圧縮充填した。しかる後、第１の血液分離フィルタを、シート面が血液が流れる方向と略平行に積層された状態となるように、角筒状の流路形成部材７に圧縮充填した。第１の血液分離フィルタを充填した部分は、１０ｍｍ×１０ｍｍ×２１ｍｍの領域であった。
【０１２６】
第１の血液分離フィルタを流路に設置する前後の上述した式（２）で表される体積比は、２．３（６００×２１×０．３９ｍｍ3／１０×１０×２１ｍｍ3）であった。第１の血液分離フィルタの設置後の平均密度は０．２３ｇ／ｃｍ3であった。
【０１２７】
（実施例３）
集積している繊維の平均繊維径が１．９μｍ、目付が３９ｇ／ｍ2、大きさが直径１１．５ｍｍ、厚み０．３９μｍの円盤状の形状を有するシートを１０枚積層した第２の血液分離フィルタを用意した。
【０１２８】
集積している繊維の平均繊維径が１．９μｍ、目付が３９ｇ／ｍ2、大きさが長さ２４０ｍｍ×幅２７ｍｍ×厚み０．３９ｍｍである長尺状の形状を有するシートを２枚用意した。この長尺状のシートを２枚重ね合わせて渦巻き状に巻き、直径約１３ｍｍの略円柱状の形状とし、内周のシート部分と外周のシート部分とが積層された第１の血液分離フィルタを１個用意した。
【０１２９】
第２の血液分離フィルタの重量は０．０４ｇ、第１の血液分離フィルタの重量は０．５１ｇであり、上述した式（１）で表される重量比は、０．０８（０．０４ｇ／０．５１ｇ）であった。
【０１３０】
次に、第２の血液分離フィルタを、シート面が血液が流れる方向と略直角方向となるように、円筒状の流路形成部材３７に圧縮充填した。しかる後、第１の血液分離フィルタを、シート面が血液が流れる方向と略平行に積層された状態となるように、円筒状の流路形成部材３７に圧縮充填した。第１の血液分離フィルタを充填した部分は、内径１１ｍｍ、高さ２７ｍｍの領域であった。
【０１３１】
第１の血液分離フィルタを流路に設置する前後の上述した式（２）で表される体積比は、２．０（２枚×２４０×２７×０．３９ｍｍ3／５．５×５．５×３．１４×２７ｍｍ3）であった。第１の血液分離フィルタの設置後の平均密度は０．２０ｇ／ｃｍ3であった。
【０１３２】
（実施例４）
集積している繊維の平均繊維径が１．９μｍ、目付が３９ｇ／ｍ2、大きさが直径１１．５ｍｍ、厚み０．３９μｍの円盤状の形状を有するシートを１５枚積層した第２の血液分離フィルタを用意した。
【０１３３】
集積している繊維の平均繊維径が１．９μｍ、目付が３９ｇ／ｍ2、大きさが長さ２４０ｍｍ×幅９ｍｍ×厚み０．３９ｍｍである長尺状の形状を有するシートを６枚用意した。この長尺状のシートを２枚重ね合わせて渦巻き状に巻き、直径約１２ｍｍの略円柱状の形状とし、内周のシート部分と外周のシート部分とが積層された第１の血液分離フィルタを３個用意した。
【０１３４】
第２の血液分離フィルタの重量は０．０６１ｇ、第１の血液分離フィルタの重量は０．５１ｇであり、上述した式（１）で表される重量比は、０．１２（０．０６１ｇ／０．５１ｇ）であった。
【０１３５】
次に、第２の血液分離フィルタを、シート面が血液が流れる方向と略直角方向となるように、円筒状の流路形成部材３７に圧縮充填した。しかる後、第１の血液分離フィルタを、シート面が血液が流れる方向と略平行に積層された状態となるように、円筒状の流路形成部材３７に圧縮充填した。第１の血液分離フィルタを充填した部分は、内径１１ｍｍ、高さ２２ｍｍの領域であった。
【０１３６】
第１の血液分離フィルタを流路に設置する前後の上述した式（２）で表される体積比は、２．４（２枚×３段×２４０×９×０．３９ｍｍ3／５．５×５．５×３．１４×２２ｍｍ3）であった。第１の血液分離フィルタの設置後の平均密度は０．２４ｇ／ｃｍ3であった。
【０１３７】
（実施例５）
集積している繊維の平均繊維径が１．２５μｍ、目付が３８ｇ／ｍ2、大きさが直径１１．５ｍｍ、厚み０．２６μｍの円盤状の形状を有するシートを５枚積層した第２の血液分離フィルタを用意した。
【０１３８】
集積している繊維の平均繊維径が１．２５μｍ、目付が３８ｇ／ｍ2、大きさが長さ２４０ｍｍ×幅９ｍｍ×厚み０．２６ｍｍである長尺状の形状を有するシートを６枚用意した。この長尺状のシートを２枚重ね合わせて渦巻き状に巻き、直径約９ｍｍの略円柱状の形状とし、内周のシート部分と外周のシート部分とが積層された第１の血液分離フィルタを３個用意した。
【０１３９】
第２の血液分離フィルタの重量は０．０２ｇ、第１の血液分離フィルタの重量は０．４９ｇであり、上述した式（１）で表される重量比は、０．０４（０．０２ｇ／０．４９ｇ）であった。
【０１４０】
次に、第２の血液分離フィルタを、シート面が血液が流れる方向と略直角方向となるように、円筒状の流路形成部材３７に圧縮充填した。しかる後、第１の血液分離フィルタを、シート面が血液が流れる方向と略平行に積層された状態となるように、円筒状の流路形成部材３７に圧縮充填した。第１の血液分離フィルタを充填した部分は、内径１１ｍｍ、高さ２２ｍｍの領域であった。
【０１４１】
第１の血液分離フィルタを流路に設置する前後の上述した式（２）で表される体積比は、１．６（２枚×３段×２４０×９×０．２６ｍｍ3／５．５×５．５×３．１４×２２ｍｍ3）であった。第１の血液分離フィルタの設置後の平均密度は０．２４ｇ／ｃｍ3であった。
【０１４２】
（実施例６）
集積している繊維の平均繊維径が２．２０μｍ、目付が３７ｇ／ｍ2、大きさが直径１１．５ｍｍ、厚み０．２２μｍの円盤状の形状を有するシートを６０枚積層した第２の血液分離フィルタを用意した。
【０１４３】
集積している繊維の平均繊維径が２．２０μｍ、目付が３７ｇ／ｍ2、大きさが長さ２４０ｍｍ×幅９ｍｍ×厚み０．２２ｍｍである長尺状の形状を有するシートを６枚用意した。この長尺状のシートを３枚重ね合わせて渦巻き状に巻き、直径約１３ｍｍの略円柱状の形状とし、内周のシート部分と外周のシート部分とが積層された第１の血液分離フィルタを２個用意した。
【０１４４】
第２の血液分離フィルタの重量は０．２３０ｇ、第１の血液分離フィルタの重量は０．４８ｇであり、上述した式（１）で表される重量比は、０．４８（０．２３０ｇ／０．４８ｇ）であった。
【０１４５】
次に、第２の血液分離フィルタを、シート面が血液が流れる方向と略直角方向となるように、円筒状の流路形成部材３７に圧縮充填した。しかる後、第１の血液分離フィルタを、シート面が血液が流れる方向と略平行に積層された状態となるように、円筒状の流路形成部材３７に圧縮充填した。第１の血液分離フィルタを充填した部分は、内径１１ｍｍ、高さ１５ｍｍの領域であった。
【０１４６】
第１の血液分離フィルタを流路に設置する前後の上述した式（２）で表される体積比は、２．０（３枚×２段×２４０×９×０．２２ｍｍ3／５．５×５．５×３．１４×１５ｍｍ3）であった。第１の血液分離フィルタの設置後の平均密度は０．３４ｇ／ｃｍ3であった。
【０１４７】
（実施例７）
集積している繊維の平均繊維径が１．９μｍ、目付が３９ｇ／ｍ2、大きさが直径１１．５ｍｍ、厚み０．３９μｍの円盤状の形状を有するシートを１０枚積層した第２の血液分離フィルタを用意した。
【０１４８】
集積している繊維の平均繊維径が１．９μｍ、目付が３９ｇ／ｍ2、大きさが長さ２４０ｍｍ×幅２７ｍｍ×厚み０．３９ｍｍである長尺状の形状を有するシートを２枚用意した。この長尺状のシートを２枚重ね合わせて渦巻き状に巻き、直径約１３ｍｍの略円柱状の形状とし、内周のシート部分と外周のシート部分とが積層された第１の血液分離フィルタを１個用意した。
【０１４９】
第２の血液分離フィルタの重量は０．０４ｇ、第１の血液分離フィルタの重量は０．５１ｇであり、上述した式（１）で表される重量比は、０．０８（０．０４ｇ／０．５１ｇ）であった。
【０１５０】
次に、第２の血液分離フィルタを、シート面が血液が流れる方向と略直角方向となるように、円筒状の流路形成部材３７に圧縮充填した。しかる後、第１の血液分離フィルタを、シート面が血液が流れる方向と略平行に積層された状態となるように、円筒状の流路形成部材３７に圧縮充填した。第１の血液分離フィルタを充填した部分は、内径１１ｍｍ、高さ２７ｍｍの領域であった。
【０１５１】
第１の血液分離フィルタを流路に設置する前後の上述した式（２）で表される体積比は、２．０（２枚×２４０×２７×０．３９ｍｍ3／５．５×５．５×３．１４×２７ｍｍ3）であった。第１の血液分離フィルタの設置後の平均密度は０．２０ｇ／ｃｍ3であった。
【０１５２】
（実施例８）
集積している繊維の平均繊維径が１．２５μｍ、目付が３８ｇ／ｍ2、大きさが直径１１．５ｍｍ、厚み０．２６μｍの円盤状の形状を有するシートを５枚積層した第２の血液分離フィルタを用意した。
【０１５３】
集積している繊維の平均繊維径が１．２５μｍ、目付が３８ｇ／ｍ2、大きさが長さ２４０ｍｍ×幅９ｍｍ×厚み０．２６ｍｍである長尺状の形状を有するシートを６枚用意した。この長尺状のシートを２枚重ね合わせて渦巻き状に巻き、直径約９ｍｍの略円柱状の形状とし、内周のシート部分と外周のシート部分とが積層された第１の血液分離フィルタを３個用意した。
【０１５４】
第２の血液分離フィルタの重量は０．０２０ｇ、第１の血液分離フィルタの重量は０．４９ｇであり、上述した式（１）で表される重量比は、０．０４（０．０２０ｇ／０．４９ｇ）であった。
【０１５５】
次に、第２の血液分離フィルタを、シート面が血液が流れる方向と略直角方向となるように、円筒状の流路形成部材３７に圧縮充填した。しかる後、第１の血液分離フィルタを、シート面が血液が流れる方向と略平行に積層された状態となるように、円筒状の流路形成部材３７に圧縮充填した。第１の血液分離フィルタを充填した部分は、内径１１ｍｍ、高さ２２ｍｍの領域であった。
【０１５６】
第１の血液分離フィルタを流路に設置する前後の上述した式（２）で表される体積比は、１．６（２枚×３段×２４０×９×０．２６ｍｍ3／５．５×５．５×３．１４×２２ｍｍ3）であった。第１の血液分離フィルタの設置後の平均密度は０．２４ｇ／ｃｍ3であった。
【０１５７】
（実施例９）
集積している繊維の平均繊維径が１．９μｍ、目付が３９ｇ／ｍ2、大きさが直径１１．５ｍｍ、厚み０．３９μｍの円盤状の形状を有するシートを１０枚積層した第２の血液分離フィルタを用意した。
【０１５８】
集積している繊維の平均繊維径が１．９μｍ、目付が３９ｇ／ｍ2、大きさが長さ２４０ｍｍ×幅９ｍｍ×厚み０．３９ｍｍである長尺状の形状を有するシートを６枚用意した。この長尺状のシートを２枚重ね合わせて渦巻き状に巻き、直径約９ｍｍの略円柱状の形状とし、内周のシート部分と外周のシート部分とが積層された第１の血液分離フィルタを３個用意した。
【０１５９】
第２の血液分離フィルタの重量は０．０４ｇ、第１の血液分離フィルタの重量は０．５１ｇであり、上述した式（１）で表される重量比は、０．０８（０．０４ｇ／０．５１ｇ）であった。
【０１６０】
次に、第２の血液分離フィルタを、シート面が血液が流れる方向と略直角方向となるように、円筒状の流路形成部材３７に圧縮充填した。しかる後、第１の血液分離フィルタを、シート面が血液が流れる方向と略平行に積層された状態となるように、円筒状の流路形成部材３７に圧縮充填した。第１の血液分離フィルタを充填した部分は、内径１１ｍｍ、高さ２２ｍｍの領域であった。
【０１６１】
第１の血液分離フィルタを流路に設置する前後の上述した式（２）で表される体積比は、２．４（２枚×３段×２４０×９×０．３９ｍｍ3／５．５×５．５×３．１４×２２ｍｍ3）であった。第１の血液分離フィルタの設置後の平均密度は０．２４ｇ／ｃｍ3であった。
【０１６２】
（実施例１０）
集積している繊維の平均繊維径が１．２５μｍ、目付が３８ｇ／ｍ2、大きさが直径１１．５ｍｍ、厚み０．２６μｍの円盤状の形状を有するシートを５枚積層した第２の血液分離フィルタを用意した。
【０１６３】
集積している繊維の平均繊維径が１．２５μｍ、目付が３８ｇ／ｍ2、大きさが長さ２４０ｍｍ×幅９ｍｍ×厚み０．２６ｍｍである長尺状の形状を有するシートを６枚用意した。この長尺状のシートを２枚重ね合わせて渦巻き状に巻き、直径約９ｍｍの略円柱状の形状とし、内周のシート部分と外周のシート部分とが積層された第１の血液分離フィルタを３個用意した。
【０１６４】
第２の血液分離フィルタの重量は０．０２０ｇ、第１の血液分離フィルタの重量は０．４９ｇであり、上述した式（１）で表される重量比は、０．０４（０．０２０ｇ／０．４９ｇ）であった。
【０１６５】
次に、第２の血液分離フィルタを、シート面が血液が流れる方向と略直角方向となるように、円筒状の流路形成部材３７に圧縮充填した。しかる後、第１の血液分離フィルタを、シート面が血液が流れる方向と略平行に積層された状態となるように、円筒状の流路形成部材３７に圧縮充填した。第１の血液分離フィルタを充填した部分は、内径１１ｍｍ、高さ２２ｍｍの領域であった。
【０１６６】
第１の血液分離フィルタを流路に設置する前後の上述した式（２）で表される体積比は、１．６（２枚×３段×２４０×９×０．２６ｍｍ3／５．５×５．５×３．１４×２２ｍｍ3）であった。第１の血液分離フィルタの設置後の平均密度は０．２４ｇ／ｃｍ3であった。
【０１６７】
（実施例１１）
集積している繊維の平均繊維径が１．９μｍ、目付が３９ｇ／ｍ2、大きさが直径１１．５ｍｍ、厚み０．３９μｍの円盤状の形状を有するシートを５枚積層した第２の血液分離フィルタを用意した。
【０１６８】
集積している繊維の平均繊維径が１．９μｍ、目付が３９ｇ／ｍ2であり、大きさが長さ２４０ｍｍ×幅１０ｍｍ×厚み０．３９ｍｍ、長さ２４０ｍｍ×幅９ｍｍ×厚み０．３９ｍｍ、または長さ２４０ｍｍ×幅８ｍｍ×厚み０．３９ｍｍである長尺状の形状を有する３種のシートをそれぞれ２枚用意した。同じ幅の長尺状のシートをそれぞれ２枚重ね合わせて渦巻き状に巻き、直径約１３ｍｍの略円柱状の形状とし、内周のシート部分と外周のシート部分とが積層された第１の血液分離フィルタを３個用意した。
【０１６９】
第２の血液分離フィルタの重量は０．０２ｇ、第１の血液分離フィルタの重量は０．５１ｇ（＝０．１９＋０．１７＋０．１５）であり、上述した式（１）で表される重量比は、０．０４（０．０２ｇ／０．５１ｇ）であった。
【０１７０】
次に、第２の血液分離フィルタを、シート面が血液が流れる方向と略直角方向となるように、円筒状の流路形成部材３７に圧縮充填した。しかる後、第１の血液分離フィルタを、シート面が血液が流れる方向と略平行に積層された状態となるように、用いたシートの幅の広いものから順に円筒状の流路形成部材３７にそれぞれ７．３ｍｍの高さになるように圧縮充填した。第１の血液分離フィルタを充填した部分は、内径１１ｍｍ、高さ２２ｍｍの領域であった。
【０１７１】
第１の血液分離フィルタを流路に設置する前後の上述した式（２）で表される体積比は、２．４（２枚×２４０×（１０＋９＋８）×０．３９ｍｍ3／５．５×５．５×３．１４×２２ｍｍ3）であった。第１の血液分離フィルタの設置後の平均密度は０．２４ｇ／ｃｍ3（血液が流れる上流側から下流側に向かってそれぞれ０．２２、０．２５、０．２７ｇ／ｃｍ3）であった。
【０１７２】
（実施例１２）
集積している繊維の平均繊維径が１．９μｍ、目付が３９ｇ／ｍ2、大きさが直径１１．５ｍｍ、厚み０．３９μｍの円盤状の形状を有するシートを５枚積層した第２の血液分離フィルタを用意した。
【０１７３】
集積している繊維の平均繊維径が１．９μｍ、目付が３９ｇ／ｍ2、大きさが長さ２４０ｍｍ×幅１１ｍｍ×厚み０．３９ｍｍ、長さ２４０ｍｍ×幅１０ｍｍ×厚み０．３９ｍｍ、または長さ２４０ｍｍ×幅９ｍｍ×厚み０．３９ｍｍである長尺状の形状を有する３種のシートをそれぞれ２枚用意した。同じ幅の長尺状のシートをそれぞれ２枚重ね合わせて渦巻き状に巻き、直径約１３ｍｍの略円柱状の形状とし、内周のシート部分と外周のシート部分とが積層された第１の血液分離フィルタを３個用意した。
【０１７４】
第２の血液分離フィルタの重量は０．０２ｇ、第１の血液分離フィルタの重量は０．５７ｇ（＝０．２１＋０．１９＋０．１７）であり、上述した式（１）で表される重量比は、０．０４（０．０２ｇ／０．５７ｇ）であった。
【０１７５】
次に、第２の血液分離フィルタを、シート面が血液が流れる方向と略直角方向となるように、円筒状の流路形成部材３７に圧縮充填した。しかる後、第１の血液分離フィルタを、シート面が血液が流れる方向と略平行に積層された状態となるように、用いたシートの幅の広いものから順に円筒状の流路形成部材３７にそれぞれ７．３ｍｍの高さになるように圧縮充填した。第１の血液分離フィルタを充填した部分は、内径１１ｍｍ、高さ２２ｍｍの領域であった。
【０１７６】
第１の血液分離フィルタを流路に設置する前後の上述した式（２）で表される体積比は、２．７（２枚×２４０×（１１＋１０＋９）×０．３９ｍｍ3／５．５×５．５×３．１４×２２ｍｍ3）であった。第１の血液分離フィルタの設置後の平均密度は０．２７ｇ／ｃｍ3（血液が流れる上流側から下流側に向かってそれぞれ０．２５、０．２７、０．３０ｇ／ｃｍ3）あった。
【０１７７】
（実施例１３）
集積している繊維の平均繊維径が１．９μｍ、目付が３９ｇ／ｍ2、大きさが直径１１．５ｍｍ、厚み０．３９μｍの円盤状の形状を有するシートを５枚積層した第２の血液分離フィルタを用意した。
【０１７８】
集積している繊維の平均繊維径が１．９μｍ、目付が３９ｇ／ｍ2であり、大きさが長さ２８０ｍｍ×幅９ｍｍ×厚み０．３９ｍｍ、長さ２６０ｍｍ×幅９ｍｍ×厚み０．３９ｍｍ、または長さ２４０ｍｍ×幅９ｍｍ×厚み０．３９ｍｍである長尺状の形状を有する３種のシートをそれぞれ２枚用意した。同じ長さの長尺状のシートをそれぞれ２枚重ね合わせて渦巻き状に巻き、直径約１３ｍｍの略円柱状の形状とし、内周のシート部分と外周のシート部分とが積層された第１の血液分離フィルタを３個用意した。
【０１７９】
第２の血液分離フィルタの重量は０．０２ｇ、第１の血液分離フィルタの重量は０．５５ｇ（＝０．２０＋０．１８＋０．１７）であり、上述した式（１）で表される重量比は、０．０４（０．０２ｇ／０．５５ｇ）であった。
【０１８０】
次に、第２の血液分離フィルタを、シート面が血液が流れる方向と略直角方向となるように、円筒状の流路形成部材３７に圧縮充填した。しかる後、第１の血液分離フィルタを、シート面が血液が流れる方向と略平行に積層された状態となるように、用いたシートの幅の広いものから順に円筒状の流路形成部材３７に圧縮充填した。第１の血液分離フィルタを充填した部分は、内径１１ｍｍ、高さ２２ｍｍの領域であった。
【０１８１】
第１の血液分離フィルタを流路に設置する前後の上述した式（２）で表される体積比は、２．６（２枚×（２８０＋２６０＋２４０）×９×０．３９ｍｍ3／５．５×５．５×３．１４×２２ｍｍ3）であった。第１の血液分離フィルタの設置後の平均密度は０．２６ｇ／ｃｍ3（血液が流れる上流側から下流側に向かってそれぞれ０．２４、０．２６、０．２８ｇ／ｃｍ3）あった。
【０１８２】
（比較例１）
集積している繊維の平均繊維径が１．９μｍ、目付が３９ｇ／ｍ2、大きさが直径１１．５ｍｍ、厚み０．３９μｍの円盤状の形状を有するシートを１２０枚積層した血液分離フィルタを用意した。
【０１８３】
次に、血液分離フィルタを、シート面が血液が流れる方向と略直交する方向に沿うように積層された状態となるように、円筒状の流路形成部材３７に圧縮充填した。血液分離フィルタを充填した部分は、内径１１ｍｍ、高さ２２ｍｍの領域であった。
【０１８４】
血液分離フィルタを流路に設置する前後の下記式（３）で表される体積比は、２．３（１２０枚×５．７５×５．７５×３．１４×０．３９ｍｍ3／５．５×５．５×３．１４×２２ｍｍ3）であった。血液分離フィルタの重量は０．４９ｇ、血液分離フィルタの設置後の平均密度は０．２３ｇ／ｃｍ3であった。
【０１８５】
体積比＝設置前の血液分離フィルタ体積／設置後の血液分離フィルタ体積・・・（３）
（比較例２）
集積している繊維の平均繊維径が１．２５μｍ、目付が３８ｇ／ｍ2、大きさが直径１１．５ｍｍ、厚み０．２６μｍの円盤状の形状を有するシートを１２５枚積層した血液分離フィルタを用意した。
【０１８６】
次に、血液分離フィルタを、シート面が血液が流れる方向と略直交する方向に沿うように積層された状態となるように、円筒状の流路形成部材３７に圧縮充填した。血液分離フィルタを充填した部分は、内径１１ｍｍ、高さ２２ｍｍの領域であった。
【０１８７】
血液分離フィルタを流路に設置する前後の上述した式（３）で表される体積比は、２．４（１２５枚×５．７５×５．７５×３．１４×０．３９ｍｍ3／５．５×５．５×３．１４×２２ｍｍ3）であった。血液分離フィルタの重量は０．４９ｇ、血液分離フィルタの設置後の平均密度は０．２３ｇ／ｃｍ3であった。
【０１８８】
（比較例３）
集積している繊維の平均繊維径が１．９μｍ、目付が３９ｇ／ｍ2、大きさが直径１１．５ｍｍ、厚み０．３９μｍの円盤状の形状を有するシートを７０枚積層した第２の血液分離フィルタを用意した。
【０１８９】
集積している繊維の平均繊維径が１．９μｍ、目付が３９ｇ／ｍ2、大きさが長さ２４０ｍｍ×幅１２ｍｍ×厚み０．３９ｍｍである長尺状の形状を有するシートを２枚用意した。この長尺状のシートを２枚重ね合わせて渦巻き状に巻き、直径約１２ｍｍの略円柱状の形状とし、内周のシート部分と外周のシート部分とが積層された第１の血液分離フィルタを１個用意した。
【０１９０】
第２の血液分離フィルタの重量は０．２８ｇ、第１の血液分離フィルタの重量は０．２２ｇであり、上述した式（１）で表される重量比は、１．２７（０．２８ｇ／０．２２ｇ）であった。
【０１９１】
次に、第２の血液分離フィルタを、シート面が血液が流れる方向と略直角方向となるように、円筒状の流路形成部材３７に圧縮充填した。しかる後、第１の血液分離フィルタを、シート面が血液が流れる方向と略平行に積層された状態となるように、円筒状の流路形成部材３７に圧縮充填した。第１の血液分離フィルタを充填した部分は、内径１１ｍｍ、高さ１１ｍｍの領域であった。
【０１９２】
第１の血液分離フィルタを流路に設置する前後の上述した式（２）で表される体積比は、２．２（２枚×２４０×１２×０．３９ｍｍ3／５．５×５．５×３．１４×１１ｍｍ3）であった。第１の血液分離フィルタの設置後の平均密度は０．２２ｇ／ｃｍ3であった。
【０１９３】
（比較例４）
集積している繊維の平均繊維径が１．９μｍ、目付が３９ｇ／ｍ2、大きさが長さ２４０ｍｍ×幅９ｍｍ×厚み０．３９ｍｍである長尺状の形状を有するシートを６枚用意した。この長尺状のシートを２枚重ね合わせて渦巻き状に巻き、直径約９ｍｍの略円柱状の形状とし、内周のシート部分と外周のシート部分とが積層された血液分離フィルタを３個用意した。
【０１９４】
次に、血液分離フィルタを、シート面が血液が流れる方向と略平行に積層された状態となるように、円筒状の流路形成部材３７に圧縮充填した。血液分離フィルタを充填した部分は、内径１１ｍｍ、高さ２２ｍｍの領域であった。
【０１９５】
血液分離フィルタを流路に設置する前後の上述した式（３）で表される体積比は、２．４（２枚×３段×２４０×９×０．３９ｍｍ3／５．５×５．５×３．１４×２２ｍｍ3）であった。血液分離フィルタの重量は０．５１ｇ、血液分離フィルタの設置後の平均密度は０．２４ｇ／ｃｍ3であった。
【０１９６】
（比較例５）
集積している繊維の平均繊維径が１．２５μｍ、目付が３８ｇ／ｍ2、大きさが長さ２４０ｍｍ×幅９ｍｍ×厚み０．２６ｍｍである長尺状の形状を有するシートを６枚用意した。この長尺状のシートを２枚重ね合わせて渦巻き状に巻き、直径約９ｍｍの略円柱状の形状とし、内周のシート部分と外周のシート部分とが積層された血液分離フィルタを３個用意した。
【０１９７】
次に、血液分離フィルタを、シート面が血液が流れる方向と略平行に積層された状態となるように、円筒状の流路形成部材３７に圧縮充填した。血液分離フィルタを充填した部分は、内径１１ｍｍ、高さ２２ｍｍの領域であった。
【０１９８】
血液分離フィルタを流路に設置する前後の上述した式（３）で表される体積比は、１．６（２枚×３段×２４０×９×０．２６ｍｍ3／５．５×５．５×３．１４×２２ｍｍ3）であった。血液分離フィルタの重量は０．４９ｇ、血液分離フィルタの設置後の平均密度は０．２４ｇ／ｃｍ3であった。
【０１９９】
（比較例６）
集積している繊維の平均繊維径が１．２５μｍ、目付が３８ｇ／ｍ2、大きさが長さ１８０ｍｍ×幅９ｍｍ×厚み０．２６ｍｍである長尺状の形状を有するシートを６枚用意した。この長尺状のシートを２枚重ね合わせて渦巻き状に巻き、直径約１１ｍｍの略円柱状の形状とし、内周のシート部分と外周のシート部分とが積層された血液分離フィルタを３個用意した。
【０２００】
次に、血液分離フィルタを、シート面が血液が流れる方向と略平行に積層された状態となるように、円筒状の流路形成部材３７に圧縮充填した。血液分離フィルタを充填した部分は、内径１１ｍｍ、高さ２７ｍｍの領域であった。
【０２０１】
血液分離フィルタを流路に設置する前後の上述した式（３）で表される体積比は、０．９９（２枚×３段×１８０×９×０．２６ｍｍ3／５．５×５．５×３．１４×２７ｍｍ3）であった。血液分離フィルタの重量は０．３７ｇ、血液分離フィルタの設置後の平均密度は０．１４ｇ／ｃｍ3であった。
【０２０２】
（比較例７）
集積している繊維の平均繊維径が１．９μｍ、目付が３９ｇ／ｍ2、大きさが長さ２４０ｍｍ×幅９ｍｍ×厚み０．３９ｍｍである長尺状の形状を有するシートを６枚用意した。この長尺状のシートを６枚重ね合わせて渦巻き状に巻き、直径約１３ｍｍの略円柱状の形状とし、内周のシート部分と外周のシート部分とが積層された血液分離フィルタを１個用意した。
【０２０３】
次に、血液分離フィルタを、シート面が血液が流れる方向と略平行に積層された状態となるように、円筒状の流路形成部材３７に圧縮充填した。血液分離フィルタを充填した部分は、内径１１ｍｍ、高さ９ｍｍの領域であった。
【０２０４】
血液分離フィルタを流路に設置する前後の上述した式（３）で表される体積比は、５．９（６枚×２４０×９×０．３９ｍｍ3／５．５×５．５×３．１４×９ｍｍ3）であった。血液分離フィルタの重量は０．５１ｇ、血液分離フィルタの設置後の平均密度は０．５９ｇ／ｃｍ3であった。
【０２０５】
（比較例８）
集積している繊維の平均繊維径が３．５μｍ、目付が４０ｇ／ｍ2、大きさが長さ２４０ｍｍ×幅２７ｍｍ×厚み０．３８ｍｍである長尺状の形状を有するシートを２枚用意した。この長尺状のシートを２枚重ね合わせて渦巻き状に巻き、直径約１２ｍｍの略円柱状の形状とし、内周のシート部分と外周のシート部分とが積層された血液分離フィルタを１個用意した。
【０２０６】
次に、血液分離フィルタを、シート面が血液が流れる方向と略平行に積層された状態となるように、円筒状の流路形成部材３７に圧縮充填した。血液分離フィルタを充填した部分は、内径１１ｍｍ、高さ２７ｍｍの領域であった。
【０２０７】
血液分離フィルタを流路に設置する前後の上述した式（３）で表される体積比は、１．９（２枚×２４０×２７×０．３８ｍｍ3／５．５×５．５×３．１４×２７ｍｍ3）であった。血液分離フィルタの重量は０．５２ｇ、血液分離フィルタの設置後の平均密度は０．２０ｇ／ｃｍ3であった。
【０２０８】
（比較例９）
集積している繊維の平均繊維径が１．９μｍ、目付が３９ｇ／ｍ2、大きさが直径１１．５ｍｍ、厚み０．３９μｍの円盤状の形状を有するシートを１２０枚積層した血液分離フィルタを用意した。
【０２０９】
次に、血液分離フィルタを、シート面が血液が流れる方向と略直交する方向に沿うように積層された状態となるように、円筒状の流路形成部材３７に圧縮充填した。血液分離フィルタを充填した部分は、内径１１ｍｍ、高さ２２ｍｍの領域であった。
【０２１０】
血液分離フィルタを流路に設置する前後の上述した式（３）で表される体積比は、２．１（１２０枚×５．５×５．５×３．１４×０．３９ｍｍ3／５．５×５．５×３．１４×２２ｍｍ3）であった。血液分離フィルタの重量は０．５１ｇ、血液分離フィルタの設置後の平均密度は０．２４ｇ／ｃｍ3であった。
【０２１１】
（比較例１０）
集積している繊維の平均繊維径が１．２５μｍ、目付が３８ｇ／ｍ2、大きさが長さ２４０ｍｍ×幅９ｍｍ×厚み０．２６ｍｍである長尺状の形状を有するシートを６枚用意した。この長尺状のシートを２枚重ね合わせて渦巻き状に巻き、直径約９ｍｍの略円柱状の形状とし、内周のシート部分と外周のシート部分とが積層された血液分離フィルタを３個用意した。
【０２１２】
次に、血液分離フィルタを、シート面が血液が流れる方向と略平行に積層された状態となるように、円筒状の流路形成部材３７に圧縮充填した。血液分離フィルタを充填した部分は、内径１１ｍｍ、高さ２２ｍｍの領域であった。
【０２１３】
血液分離フィルタを流路に設置する前後の上述した式（３）で表される体積比は、１．６（２枚×３段×２４０×９×０．２６ｍｍ3／５．５×５．５×３．１４×２２ｍｍ3）であった。血液分離フィルタの重量は０．４９ｇ、血液分離フィルタの設置後の平均密度は０．２４ｇ／ｃｍ3であった。
【０２１４】
（比較例１１）
集積している繊維の平均繊維径が１．９μｍ、目付が３９ｇ／ｍ2、大きさが直径１１．５ｍｍ、厚み０．３９μｍの円盤状の形状を有するシートを１２０枚積層した血液分離フィルタを用意した。
【０２１５】
次に、血液分離フィルタを、シート面が血液が流れる方向と略直交する方向に沿うように積層された状態となるように、円筒状の流路形成部材３７に圧縮充填した。血液分離フィルタを充填した部分は、内径１１ｍｍ、高さ２２ｍｍの領域であった。
【０２１６】
血液分離フィルタを流路に設置する前後の上述した式（３）で表される体積比は、２．１（１２０枚×５．５×５．５×３．１４×０．３９ｍｍ3／５．５×５．５×３．１４×２２ｍｍ3）であった。血液分離フィルタの重量は０．５１ｇ、血液分離フィルタの設置後の平均密度は０．２４ｇ／ｃｍ3であった。
【０２１７】
（比較例１２）
集積している繊維の平均繊維径が１．２５μｍ、目付が３８ｇ／ｍ2、大きさが長さ２４０ｍｍ×幅９ｍｍ×厚み０．２６ｍｍである長尺状の形状を有するシートを６枚用意した。この長尺状のシートを２枚重ね合わせて渦巻き状に巻き、直径約９ｍｍの略円柱状の形状とし、内周のシート部分と外周のシート部分とが積層された血液分離フィルタを３個用意した。
【０２１８】
次に、血液分離フィルタを、シート面が血液が流れる方向と略平行に積層された状態となるように、円筒状の流路形成部材３７に圧縮充填した。血液分離フィルタを充填した部分は、内径１１ｍｍ、高さ２２ｍｍの領域であった。
【０２１９】
血液分離フィルタを流路に設置する前後の上述した式（３）で表される体積比は、１．６（２枚×３段×２４０×９×０．２６ｍｍ3／５．５×５．５×３．１４×２２ｍｍ3）であった。血液分離フィルタの重量は０．４９ｇ、血液分離フィルタの設置後の平均密度は０．２４ｇ／ｃｍ3であった。
【０２２０】
（真空検体採取管の作製）
上述した実施例１，２の血液分離フィルタ装置は、上述した管状容器２内に収容した。他方、実施例３〜１３および比較例１〜１２の血液分離フィルタ装置は、上述した管状容器３２内に収容した。しかる後、管状容器２の開口を栓体３により密栓し、管状容器３２の開口を栓体３３により密栓し、管内の圧力を３５ｋＰａとし真空検体採取管を作製した。
【０２２１】
（血液分離フィルタ装置の評価）
・実施例１〜６および比較例１〜８の血液分離フィルタ装置の評価
上述した実施例１〜６および比較例１〜８の血液分離フィルタ装置に、ボランティア１名から採血したヘマトクリットが４６．０％である血液約２ｍＬをそれぞれ注入し、血液の分離を行った。
【０２２２】
赤血球が漏出する直前に血液の分離を中止し、得られた検体量および溶血の有無を確認した。結果を表１に示した。
【０２２３】
【表１】
2007040985.tif 000003
【０２２４】
・実施例７〜１３および比較例９〜１２の血液分離フィルタ装置の評価
実施例７〜１３および比較例９〜１２の血液分離フィルタ装置に、ボランティア１名から採血したヘマトクリットが４７．６％である血液約２ｍＬをそれぞれ注入し、血液の分離を行った。
【０２２５】
血液の分離が終了した時点から、２分間放置したとき、および３０分間放置したときの溶血の有無を確認した。結果を表２に示した。
【０２２６】
【表２】
2007040985.tif 000004
【０２２７】
（血液分離フィルタ装置の評価結果）
・実施例１〜６および比較例１〜８の血液分離フィルタ装置の評価結果
実施例１〜６の血液分離フィルタ装置では、いずれも溶血が認められず、溶血により赤血球から漏洩してきた成分が血漿または血清に混入することなく、血漿または血清のみ分離することができた。
【０２２８】
他方、比較例１〜３の血液分離フィルタ装置では溶血により赤血球から漏洩してきた成分の混入が認められた。また比較例４の血液分離フィルタ装置では溶血は認められなかったが、血小板の混入が認められた。比較例７，８の血液分離フィルタ装置では、血液分離フィルタの最下部に血球が到達する前に分離が停止していた。
【０２２９】
・実施例７〜１３および比較例９〜１１の血液分離フィルタ装置の評価結果
実施例７〜１３の血液分離フィルタ装置では、分離終了後２分間経過するまでは、血漿または血清のみが採取された。また、分離終了後２分間経過した後には、血液分離フィルタの下方部分に赤血球が到達しているが、血球停止フィルタによって赤血球の通過が防止されており、血球の血漿または血清への混入は見られなかった。分離終了後３０分間経過した後には、実施例７，８の血液分離フィルタ装置では、赤血球内成分が分離した血漿または血清中に混入していたが、実施例９〜１３の血液分離フィルタ装置では、赤血球内成分の血漿または血清への混入は見られなかった。実施例９〜１３の血液分離フィルタ装置では、血液分離フィルタ装置の下流に配置された水膨潤性ポリマーが、血漿または血清に接触されることにより膨潤し、流路が完全に閉塞されて、赤血球内成分の通過が防止されていた。
【図面の簡単な説明】
【０２３０】
【図１】本発明の一実施形態に係る真空検体採取管の正面断面図。
【図２】本発明の一実施形態に係る真空検体採取管に備えられている血液分離フィルタ装置を拡大して示す正面断面図。
【図３】本発明の一実施形態に係る真空検体採取管に備えられている血液分離フィルタ装置を構成している第１，第２の血液分離フィルタおよび流路形成部材を分解して示す斜視図。
【図４】本発明に係る血液分離フィルタ装置の第１の血液分離フィルタの構造を説明するための斜視図。
【図５】本発明に係る血液分離フィルタ装置の第１の血液分離フィルタの構造を説明するための斜視図。
【図６】本発明に係る血液分離フィルタ装置の血液分離フィルタの他の構造例を説明するための斜視図。
【図７】本発明に係る血液分離フィルタ装置の血液分離フィルタの他の構造例を説明するための斜視図。
【図８】本発明の他の実施形態に係る真空検体採取管の正面断面図。
【図９】本発明の他の実施形態に係る真空検体採取管に備えられている血液分離フィルタ装置を構成している第１，第２の血液分離フィルタおよび流路形成部材を分解して示す斜視図。
【図１０】本発明に係る血液分離フィルタ装置の血液分離フィルタの構造を説明するための斜視図。
【図１１】本発明に係る血液分離フィルタ装置の血液分離フィルタの他の構造例を説明するための斜視図。
【図１２】本発明の別の実施形態に係る真空検体採取管の正面断面図。
【図１３】本発明の別の実施形態に係る真空検体採取管に備えられている血液分離フィルタ装置を構成している第１，第２の血液分離フィルタおよび流路形成部材を分解して示す斜視図。
【図１４】本発明のさらに別の実施形態に係る真空検体採取管の正面断面図。
【図１５】本発明のさらに別の実施形態に係る真空検体採取管に備えられている血液分離フィルタ装置を構成している第１，第２の血液分離フィルタおよび流路形成部材を分解して示す斜視図。
【符号の説明】
【０２３１】
１…真空検体採取管
２…管状容器
２ａ…開口
２ｂ…底部
３…栓体
４…血液分離フィルタ装置
５…第１の血液分離フィルタ
５ａ…上端
６…第２の血液分離フィルタ
６ａ…シート
７…流路形成部材
８…筒状部材
８ａ…開口
８ｂ…下端
８ｃ…環状周縁部
８ｄ…開口部
９…底部材
９ａ…主面部
９ｂ…出口部
９ｃ…凹部
９ｄ…環状突部
１０…血球停止フィルタ
１１…水膨潤性ポリマー
１１ａ…孔
１５…シート
２１…第１の血液分離フィルタ
２２…シート
２２ａ…シート面
２２ｂ…折返し部分
３１…真空検体採取管
３２…管状容器
３２ａ…開口
３２ｂ…底部
３３…栓体
３４…血液分離フィルタ装置
３５…第１の血液分離フィルタ
３６…第２の血液分離フィルタ
３６ａ…シート
３７…流路形成部材
３８…円筒部材
３８ａ…環状周縁部
３９…底部材
４１…血液分離フィルタ
４１Ａ〜４１Ｃ…第１の血液分離フィルタ
５１…真空検体採取管
５２…血液分離フィルタ装置
６１…真空検体採取管
６２…血液分離フィルタ装置
６３〜６５…第２の血液分離フィルタ
６３ａ〜６５ａ…シート
【図１】
2007040985.tif 000005
【図２】
2007040985.tif 000006
【図３】
2007040985.tif 000007
【図４】
2007040985.tif 000008
【図５】
2007040985.tif 000009
【図６】
2007040985.tif 000010
【図７】
2007040985.tif 000011
【図８】
2007040985.tif 000012
【図９】
2007040985.tif 000013
【図１０】
2007040985.tif 000014
【図１１】
2007040985.tif 000015
【図１２】
2007040985.tif 000016
【図１３】
2007040985.tif 000017
【図１４】
2007040985.tif 000018
【図１５】
2007040985.tif 000019